(57)【要約】【課題】本体部と回転部材とが食いつきにくいアクセサリ機器を提供する。【解決手段】アクセサリ機器である表示装置３が備える取付部材３３１を撮像装置１のアクセサリシュー１０３に固定する。取付部材３３１は、表示装置３の本体部から突出し、外周に雄ねじ部を有するスリーブ部材３３５２と、スリーブ部材３３５２を囲む突出部３３１１と、スリーブ部材３３５２の雄ねじ部と螺合する雌ねじ部を内周に有し、回転操作によってアクセサリシュー１０３及び突出部３３１１の先端面と当接するように回転操作の回転軸と平行な方向に移動可能な固定部材３３５２とを有する。突出部３３１１の先端面を螺旋面３３１ａとして固定部材３３５２に接触させる。【選択図】図９
2013092665.tif 000002
【特許請求の範囲】
【請求項１】
撮像装置のアクセサリシューに取り付けられる取付手段を備えるアクセサリ機器であって、
前記取付手段は、
前記アクセサリ機器の本体部から突出し、外周に雄ねじ部を有するスリーブ部材と、
前記アクセサリ機器の本体部から突出し、前記スリーブ部材を囲む突出部と、
前記スリーブ部材の雄ねじ部と螺合する雌ねじ部を内周に有し、回転操作によって前記アクセサリシュー及び前記突出部の先端面と当接するように、前記回転操作の回転軸と平行な方向に移動可能な固定部材とを有し、
前記突出部の先端面及び前記固定部材において前記突出部の先端面と接触する当接面のいずれかは１周の連続した螺旋面となっていることを特徴とするアクセサリ機器。
【請求項２】
前記固定部材は、前記突出部を収容し、前記突出部の先端面と接触する凹面を有する凹部を有し、
前記凹面の深さは、前記固定部材の前記回転軸と平行な方向での移動量よりも大きいことを特徴とする請求項１記載のアクセサリ機器。
【発明の詳細な説明】
【技術分野】
【０００１】
本発明は、撮像装置に取り付け可能なアクセサリ機器に関する。
【背景技術】
【０００２】
デジタルビデオカメラやデジタルスチルカメラ等の撮像装置には、撮影機能の拡張性を高めるために、ビデオライトやマイクロフォン等の外付けのアクセサリ機器を取り付けることができるようになっている。
【０００３】
外付けのアクセサリ機器の取り付け方法については種々の提案がなされているが、外付けのアクセサリ機器を撮像装置の本体に設けられたアクセサリシューに連結し、固定する方法が一般的に用いられている。例えば、撮像装置の本体に設けられたアクセサリシューにスライド挿入により係合可能なアクセサリ機器に関して、係合後にアクセサリ機器が撮像装置本体からスライドして脱落することを防止する構造が提案されている（特許文献１参照）。
【０００４】
より具体的には、特許文献１に記載されたアクセサリ機器は、アクセサリシューに対するスライド挿入方向と直交する軸を回転軸とし、アクセサリシューに対する取り付け方向に回転させると回転軸と平行な方向に突起部が突出する回転部材を備える。一方、アクセサリシューには回転部材の突起部と係合させるための溝部が設けられている。アクセサリ機器をアクセサリシューにスライド挿入させた後に回転部材を取り付け方向に回転させて回転部材の突起部をアクセサリシューの溝部と係合させると、突起部と溝部との係合によってアクセサリ機器のスライド挿入方向での移動が規制される。こうして、アクセサリ機器のアクセサリシューからの脱落を防止している。
【先行技術文献】
【特許文献】
【０００５】
【特許文献１】特開２００９−１５７００３号公報
【発明の概要】
【発明が解決しようとする課題】
【０００６】
しかしながら、上述した従来例の場合、回転部材をアクセサリ機器の取り付け方向とは反対の方向、つまりアクセサリ機器を取り外す方向に回転させると、回転部材をアクセサリ機器の本体部に対して面で突き当たった状態で回し続けることができる。このとき、アクセサリ機器の本体部と回転部材との面同士が食いついてしまうという問題や、アクセサリ機器の本体部と回転部材とが触面する面に傷が生じ、これが外観として現れることで美観が損なわれるという問題がある。
【０００７】
本発明は、撮像装置の本体に対する取り付け／取り外しを行うための回転部材を備えるアクセサリ機器であって、アクセサリ機器の本体部と回転部材とが食いつきにくいアクセサリ機器を提供することを目的とする。また、本発明は、アクセサリ機器の本体部と回転部材との接触面に傷が生じても、傷部を非外観面とすることで美観を良好な状態に維持することができるアクセサリ機器を提供することを目的とする。
【課題を解決するための手段】
【０００８】
本発明に係るアクセサリ機器は、撮像装置のアクセサリシューに取り付けられる取付手段を備えるアクセサリ機器であって、前記取付手段は、前記アクセサリ機器の本体部から突出し、外周に雄ねじ部を有するスリーブ部材と、前記アクセサリ機器の本体部から突出し、前記スリーブ部材を囲む突出部と、前記スリーブ部材の雄ねじ部と螺合する雌ねじ部を内周に有し、回転操作によって前記アクセサリシュー及び前記突出部の先端面と当接するように、前記回転操作の回転軸と平行な方向に移動可能な固定部材とを有し、前記突出部の先端面及び前記固定部材において前記突出部の先端面と接触する当接面のいずれかは１周の連続した螺旋面となっていることを特徴とする。
【発明の効果】
【０００９】
本発明によれば、アクセサリ機器を撮像装置の本体から取り外す際に、回転部材を取り外し方向に回し続けても、アクセサリ機器の本体部と回転部材とが食いつきにくくなり、回転部材が回し難くなることを防ぐことができる。また、回転部材とアクセサリ機器の本体部との接触面に傷が生じても、傷部を非外観面とするために美観を損なうことがない。
【図面の簡単な説明】
【００１０】
【図１】本発明の実施形態に係るアクセサリ機器が取り付けられる撮像装置を前方斜め上から見た斜視図である。
【図２】図１の撮像装置を後方横から見た斜視図である。
【図３】図１の撮像装置に着脱可能な把持部材の斜視図である。
【図４】図１の撮像装置又は図３の把持部材に着脱可能な表示装置の斜視図である。
【図５】図１の撮像装置に図３の把持部材及び図４の表示装置を装着した状態を示す斜視図である。
【図６】図１の撮像装置に図４の表示装置を装着した状態を示す斜視図である。
【図７】図４の表示装置に設けられた後面接続部の後面図である。
【図８】図４の表示装置に設けられた後面接続部の分解斜視図である。
【図９】図４の表示装置の後面接続部を図３の把持部材のアクセサリシューに装着した状態を示す断面図である。
【図１０】図３の把持部材と図４の表示装置との別の装着形態を示す断面図である。
【発明を実施するための形態】
【００１１】
以下、本発明の実施形態について添付図面を参照して詳細に説明する。
【００１２】
＜撮像装置の本体の構成＞
図１及び図２は、本発明の実施形態に係るアクセサリ機器が取り付けられる撮像装置の斜視図である。本実施形態では、撮像装置１として、交換式レンズ４（図７，８参照）を取り付け可能なデジタルビデオカメラを取り上げる。図１は撮像装置１を前方斜め上から見た斜視図であり、図２は撮像装置１を後方横から見た斜視図である。
【００１３】
撮像装置１の正面（前方）から見て左側面には、撮像装置１に着脱可能な把持グリップ１０１が設けられている。撮像装置１の上面には、可動式ビューファインダー１０２と、後述する把持部材２や表示装置３（図３乃至５参照）等の外付けのアクセサリ機器の着脱に用いられるアクセサリシュー１０３と、把持部材２を固定するためのネジ部１０４が設けられている。
【００１４】
撮像装置１の後面には、撮像装置１の制御状態を表示するサブ表示部１０５、入出力端子群１０６、記録メディア装着部１０７、ＲＥＣ／ＰＡＵＳＥボタン１０８、ＭＥＮＵボタン１０９、ＭＥＮＵ操作レバー１１０及びバッテリ蓋１１１が設けられている。バッテリ蓋１１１の内側にはバッテリ（不図示）が収納されている。
【００１５】
撮像装置１の前面には、交換式レンズ装着部１１２と、交換式レンズ４の装着を検知して電気的に制御するための接点部１１３と、交換式レンズを取り外すレンズ取り外しボタン１１４、ＲＥＣ／ＰＡＵＳＥボタン１１５とが設けられている。撮像装置１の正面から見て右側面には、撮影者の操作によって撮像装置１の本体に所定の動作を実行させる操作ボタン群１１６と、電源スイッチ１１７とが設けられている。
【００１６】
更に、撮像装置１内には、被写体の映像を受光する撮像素子（不図示）が交換式レンズ装着部１１２の後方に配置されている。また、撮像装置１は、撮像素子で得られた映像信号を電気信号に変換するセンサ基板、撮像装置１を操作した際の入力信号等を制御する回路基板を備えている。
【００１７】
＜把持部材の構成＞
図３（Ａ），（Ｂ）は共に、撮像装置１のアクセサリシュー１０３に着脱可能な把持部材２の斜視図である。把持部材２は、撮像装置１に設けられたネジ部１０４に螺合し、把持部材２を撮像装置１に対して固定するダイヤルネジ２０２と、ダイヤルネジ２０２を把持部材２のグリップ部２０９に向けて付勢するコイルばね等の弾性部材２０３とを備える。また、把持部材２の底面には、撮像装置１のアクセサリシュー１０３に係合する足部２０１が設けられている。
【００１８】
把持部材２の上面には、ビデオライト等の外付けのアクセサリ機器を装着するための外部アクセサリシュー２０４と、外付けのアクセサリ機器を固定するためのネジ部２０５とが設けられている。把持部材２の前面には、表示装置３等の外付けのアクセサリ機器を装着するためのアクセサリシュー２０６が設けられており、本実施形態では、アクセサリシュー２０６は撮像装置１のアクセサリシュー１０３と同一形状であるとする。
【００１９】
＜表示装置の構成＞
図４（Ａ），（Ｂ）は共に、撮像装置１のアクセサリシュー１０３又は把持部材２のアクセサリシュー２０６に着脱可能な表示装置３の斜視図である。表示装置３は、撮影映像を表示する表示部３１と、表示部３１に撮影時の映像或いは撮影された映像を表示する際に撮像装置１の本体を操作するための操作部３２と、表示装置３を撮像装置１又は把持部材２に固定するための取付部３３とを備える。
【００２０】
表示部３１は、撮像装置１で撮影した映像及び撮像装置１の制御状態を撮影者が確認可能な表示画面部３１１と、表示画面部３１１を覆う外装部材３１２と、表示画面部３１１に電気信号を送信する回路基板（不図示）とを有する。表示部３１は回動部３１３によって回動自在となっている。
【００２１】
操作部３２は、操作ボタン群３２１と、音声信号制御部３２２と、保護カバー部材３２３と、表示方向制御ボタン３２４とを有する。操作ボタン群３２１は、撮影者による操作によって撮像装置１の本体に所定の動作を実行させるためのボタンである。音声信号制御部３２２は、外付けマイクが接続された場合に、外付けマイクで得られる音声信号を制御する。保護カバー部材３２３は、音声信号制御部３２２への水滴等の侵入を防止し、表示方向制御ボタン３２４は、表示部３１に表示される映像の表示方向を制御する。
【００２２】
操作部３２は、操作ボタン群３２１及び音声信号制御部３２２の操作を電気的信号に変換する回路基板（不図示）と、表示部３１の回路基板との間で信号を送受信し、表示部３１と操作部３２の内部を通る信号線（不図示）とを有している。これら回路基板と信号線は、外装部材３２５，３２６によって保持されている。外装部材３２５には、表示部３１を回動可能に締結する回動部３１３を収納する収納部３２７が設けられている。
【００２３】
取付部３３は、表示装置３を撮像装置１のアクセサリシュー１０３に固定するための底面接続部３３４と、表示装置３を把持部材２のアクセサリシュー２０６に固定するための後面接続部３３５とが設けられた取付部材３３１を有する。また、取付部３３は、外部マイクを保持するマイク保持部３３２と、外部マイクのコネクタを連結するコネクタ部３３３とを有する。
【００２４】
取付部３３は、信号の送受信を行う信号線群３３６と、信号線群３３６と操作部３２との間で信号を中継する回路基板（不図示）と、操作部３２の回路基板に対して電気的な接続を行う信号線（不図示）とを有する。信号線群３３６が伝達する信号としては、撮影映像を表示画面部３１１に表示すると共に操作部３２の操作ボタン群３２１で操作した制御信号がある。また、信号線群３３６が伝達する信号には、マイク保持部３３２に保持された外部マイクから得られた音声信号を操作部３２に設けられた音声信号制御部３２２で制御した上で撮像装置１に送信するために信号が含まれる。
【００２５】
＜撮像装置に対する把持部材及び表示装置の装着形態＞
図５は撮像装置１に把持部材２及び表示装置３を装着した状態を示す斜視図である。図５は、表示装置３の後面接続部３３５が把持部材２のアクセサリシュー２０６に接続、固定され、把持部材２のアクセサリシューの足部２０１が撮像装置１のアクセサリシュー１０３に接続、固定されて使用される形態を示している。なお、図５には、撮像装置１に対して、交換式レンズ装着部１１２に対応した交換式レンズ４が装着された状態が示されている。
【００２６】
＜撮像装置に対する表示装置の装着形態＞
図６は、撮像装置１に表示装置３を装着した状態を示す斜視図であり、表示装置３の底面接続部３３４を撮像装置１のアクセサリシュー１０３に対して直接固定して使用する形態を示している。なお、図６でも、撮像装置１に対して交換式レンズ装着部１１２に交換式レンズ４を装着した状態を示している。
【００２７】
＜表示装置の後面接続部の詳細＞
上述の通り、表示装置３の後面接続部３３５は把持部材２のアクセサリシュー２０６に固定されるが、その固定形態は、表示装置３の底面接続部３３４を撮像装置１のアクセサリシュー１０３に取り付けるときの固定形態と同じである。そこで、ここでは、表示装置３に設けられた後面接続部３３５を把持部材２のアクセサリシュー２０６に固定する形態について詳細に説明するこことする。そして、表示装置３の底面接続部３３４を撮像装置１のアクセサリシュー１０３に固定する場合については説明を省略する。
【００２８】
図７は表示装置３に設けられた後面接続部３３５の後面図であり、図８は後面接続部３３５の分解斜視図である。図９は、表示装置３に設けられた後面接続部３３５を把持部材２のアクセサリシュー２０６に装着した状態を示す断面図であり、図７のＡ−Ａ断面図である。図９（Ａ）は、後面接続部３３５がアクセサリシュー２０６にスライド装着され、表示装置３のスライドが規制されている状態を示している。一方、図９（Ｂ）は、後面接続部３３５がアクセサリシュー２０６に装着されているが、表示装置３のスライド規制が解除されている状態を示している。
【００２９】
表示装置３に設けられた後面接続部３３５は、足部３３５１、固定部材３３５２、スリーブ部材３３５３、抜け止めピン３３５４、当接部材３３５５及び弾性部材３３５６を有している。足部３３５１は、把持部材２のアクセサリシュー２０６に対してスライド動作により係合し、その形状は把持部材２の足部２０１の形状と同じである。
【００３０】
固定部材３３５２の内周には雌ねじ部が形成されている。スリーブ部材３３５３は表示装置３の本体部から突出するように、取付部材３３１に形成されている。スリーブ部材３３５３の外周には、固定部材３３５２の雌ねじ部と螺合する雄ねじ部が形成されている。よって、固定部材３３５２をスリーブ部材３３５３に螺合させた状態で、固定部材３３５２は回転操作により上下方向（回転操作の回転軸と平行な方向）で移動可能である。
【００３１】
抜け止めピン３３５４は、固定部材３３５２の回転にしたがって回転軸と平行な方向に突出する。当接部材３３５５は、樹脂等で形成されており、抜け止めピン３３５４と一体となって固定部材３３５２に当接しながら可動する。弾性部材３３５６には、例えば、コイルばね等が用いられ、抜け止めピン３３５４をアクセサリシュー２０６側に付勢する。後面接続部３３５は、取付部３３の取付部材３３１内に配置された板金等で形成される支持部材３３５７にビス等によって固定される。
【００３２】
固定部材３３５２を図８に示すα方向に回転させると、足部３３５１のアクセサリシュー２０６に対するスライド動作が規制される。取付部材３３１には、スリーブ部材３３５３を囲むように、円筒形状の突出部３３１１が形成されている。突出部３３１１の先端面は、１周の連続した螺旋形状を有する螺旋面３３１ａとなっており、螺旋の切り始めと切り終わりとに段差が設けられている。一方、固定部材３３５２には、突出部３３１１を収容する凹部が形成されている。
【００３３】
足部３３５１のアクセサリシュー２０６に対するスライド規制を解除する方向（α方向とは反対の方向）に固定部材３３５２を回転させると、固定部材３３５２の内部に形成された凹部の凹面３３５２ａが、突出部３３１１の螺旋面３３１ａと接触する。このとき、図９（Ｂ）に示すように、固定部材３３５２の回転に伴う上下方向の移動量Ｌ１は、固定部材３３５２に形成された凹面３３５２ａの深さＬ２よりも小さくなるように設定されている。したがって、固定部材３３５２の凹面３３５２ａと突出部３３１１の螺旋面３３１ａとの接触面は、固定部材３３５２によって隠される非外観面となる。
【００３４】
図９（Ａ）に示すたように、表示装置３が把持部材２に対してスライド規制された状態では、固定部材３３５２を図８のα方向に回転させることで、抜け止めピン３３５４が弾性部材３３５６の力によって後面接続部３３５の足部３３５１から突出する。こうして抜け止めピン３３５４は、アクセサリシュー２０６の穴部に挿入される。そのため、図９（Ａ）の状態で表示装置３を把持部材２からスライド動作によって取り外そうとしても、抜け止めピン３３５４が把持部材２のアクセサリシュー２０６に接触することで、取り外し動作が規制される。
【００３５】
固定部材３３５２を図８のα方向に回しきって、固定部材３３５２の下面３３５２ｂが把持部材２のアクセサリシュー２０６の上面２０６ａに接触する位置にあるときは、固定部材３３５２とアクセサリシュー２０６とが面接触する。この面接触によって大きな摩擦力が生じるため、固定部材３３５２は安定して保持される。
【００３６】
一方、図９（Ｂ）に示すように、表示装置３の把持部材２に対するスライド規制を解除した状態で固定部材３３５２を図８のα方向とは反対の方向に回転させると、抜け止めピン３３５４はアクセサリシュー２０６の穴部から抜ける。これにより、表示装置３を把持部材２から取り外すことができる。
【００３７】
固定部材３３５２を図８のα方向とは反対の方向に回しきって、固定部材３３５２の凹面３３５２ａが突出部３３１１の螺旋面３３１ａに接触しても、固定部材３３５２と取付部材３３１との接触面積は螺旋面３３１ａの先端の限られた面積になる。よって、固定部材３３５２と取付部材３３１との摩擦力は大きくならないため、取付部材３３１と固定部材３３５２とが食いつき難くなる。こうして、固定部材３３５２が回し難くなるのが防止されることで、小さなトルクで固定部材３３５２を再びα方向に回転させることができる。また、固定部材３３５２の凹面３３５２ａは突出部３３１１の螺旋面３３１ａと接触するため、螺旋面３３１ａにおける凹面３３５２ａとの接触部が削れても、絶えず新しく面積の限られた面積で接触面が形成されるため、耐久性を向上させることができる。更に、螺旋面３３１ａと凹面３３５２ａとの接触面は固定部材３３５２の内側に形成されているために非外観面となっている。よって、螺旋面３３１ａと凹面３３５２ａとの接触面に傷が付いても、傷が外観に露出することないので、美観を損なうことがない。
【００３８】
＜その他の実施形態＞
以上、本発明をその好適な実施形態に基づいて詳述してきたが、本発明はこれら特定の実施形態に限られるものではなく、この発明の要旨を逸脱しない範囲の様々な形態も本発明に含まれる。例えば、上述した実施形態の変形例として、把持部材２と表示装置３とを別の装着形態を図１０に示す。この変形例では、固定部材３３５２と取付部材３３１との接触面について、固定部材３３５２に設ける凹面を、螺旋形状を有する螺旋面３３５２ｃとして形成している。この場合、螺旋面３３５２ｃと接触する突出部３３１１の当接面３３１ｂをストレートな面とすることができる。
【符号の説明】
【００３９】
１    撮像装置
２    把持部材
３    表示装置
３３    取付部
３３１    取付部材
１０３    アクセサリシュー
２０１    足部
２０６    アクセサリシュー
３３１１    突出部
３３１ａ    螺旋面
３３５２    固定部材
３３５２ａ    凹面
【図１】
2013092665.tif 000003
【図２】
2013092665.tif 000004
【図３】
2013092665.tif 000005
【図４】
2013092665.tif 000006
【図５】
2013092665.tif 000007
【図６】
2013092665.tif 000008
【図７】
2013092665.tif 000009
【図８】
2013092665.tif 000010
【図９】
2013092665.tif 000011
【図１０】
2013092665.tif 000012